(57)【特許請求の範囲】
【請求項１】
液透過性の表面シート、液不透過性の裏面シート、及びこれら両シート間に介在する液保持性の吸収体を有し、使用時に着用者の腰回りに位置するウエスト部が形成されている、パンツ型の使い捨ておむつにおいて、
上記ウエスト部は、上記表面シート、上記裏面シート、及び上記吸収体により形成されたおむつ本体の端縁から延設されたウエスト部形成材と、延出された該ウエスト部形成材により保持されている、６〜６０本の弾性部材とにより形成されており、
上記弾性部材は、その目付が０．０２２〜０．４００ｇ／ｍであり、その伸張率が１５０〜３００％であり、且つ上記ウエスト部形成材の上記ウエスト部を形成する部分の全面に塗布された粘着剤により保持されており、各該弾性部材の間隔が２．０〜４．０ｍｍであり、
また、使用時に着用者の腹側に位置する腹側部の上記弾性部材と、背側に位置する背側部の上記弾性部材とが、該腹側部の左右両側縁と該背側部の左右両側縁とを接合固定することにより接合されており、
上記ウエスト部形成材は、その剛度が１０〜８０ｍｍであり、
上記ウエスト部は、その幅が１５〜６０ｍｍである、
ことを特徴とする使い捨ておむつ。
【請求項２】
上記ウエスト部形成材は、上記裏面シート側において該裏面シートを覆って設けられ、且つ上記表面シート側に向けて折り返されており、上記弾性部材は、折り畳まれた該ウエスト部形成材により挟持されて保持されていることを特徴とする請求項１記載の使い捨ておむつ。
【発明の詳細な説明】
【０００１】
【発明の属する技術分野】
本発明は、フィット性に優れたパンツ型の使い捨ておむつに関する。
【０００２】
【従来の技術及び発明が解決しようとする課題】
従来より、液透過性の表面シート、液不透過性の裏面シート、及びこれら両シート間に介在する液保持性の吸収体を有し、使用時に着用者の腰回りに位置するウエスト部が形成されている使い捨ておむつは、広く用いられている。
そして、このような従来の使い捨ておむつは、上記ウエスト部に弾性部材を配してウエストギャザーを形成しており、該ウエストギャザーにより、装着時のフィット性が向上されていると共に、防漏性も向上されている。
【０００３】
しかし、このような従来の使い捨ておむつにおいても、未だ漏れを生じる場合があった。
即ち、このような従来の使い捨ておむつにおいては、上記ウエストギャザーの隙間から、尿等の排泄物が漏れてしまうという問題があり、特に、近年、乳幼児をうつぶせ寝させることが多いため、腹側のウエスト部から漏れてしまうことが多いという問題があった。
【０００４】
このような漏れを防止するために、ウエスト部に配する上記弾性部材の伸長率を高くして、ウエスト部のフィット性を高めて漏れを防止することが考えられるが、このような手法を採ると、風合いが悪くなり、着用者の肌を傷つけてしまうことがあるという問題が生じていた。
【０００５】
従って、本発明の目的は、風合いが良く、着用者の肌を傷つけることなく、ウエスト部、特に腹側のウエスト部からの漏れが防止された、使い捨ておむつを提供することにある。
【０００６】
【課題を解決するための手段】
本発明者らは、上記課題を解消すべく鋭意検討した結果、ウエスト部を特定のウエスト部形成材と弾性部材とにより形成してなる使い捨ておむつが、上記目的を達成しうることを知見した。
【０００７】
本発明は、上記知見に基づきなされたもので、液透過性の表面シート、液不透過性の裏面シート、及びこれら両シート間に介在する液保持性の吸収体を有し、使用時に着用者の腰回りに位置するウエスト部が形成されている、パンツ型の使い捨ておむつにおいて、上記ウエスト部は、上記表面シート、上記裏面シート、及び上記吸収体により形成されたおむつ本体の端縁から延設されたウエスト部形成材と、延出された該ウエスト部形成材により保持されている、６〜６０本の弾性部材とにより形成されており、上記弾性部材は、その目付が０．０２２〜０．４００ｇ／ｍであり、その伸張率が１５０〜３００％であり、且つ上記ウエスト部形成材の上記ウエスト部を形成する部分の全面に塗布された粘着剤により保持されており、各該弾性部材の間隔が２．０〜４．０ｍｍであり、また、使用時に着用者の腹側に位置する腹側部の上記弾性部材と、背側に位置する背側部の上記弾性部材とが、該腹側部の左右両側縁と該背側部の左右両側縁とを接合固定することにより接合されており、上記ウエスト部形成材は、その剛度が１０〜８０ｍｍであり、上記ウエスト部は、その幅が１５〜６０ｍｍである、ことを特徴とする使い捨ておむつを提供するものである。
【０００８】
【発明の実施の形態】
以下、本発明の使い捨ておむつの好ましい一形態を、図面を参照して説明する。
ここで、図１は、本発明の使い捨ておむつの好ましい一形態を示す斜視図であり、図２は、図１に示す形態の使い捨ておむつのＩＩ部拡大図であり、図３は、図２のＩＩＩ  −ＩＩＩ  断面図である。また、図４は、図１に示す使い捨ておむつを組み立てる態様を示す概略図である。
【０００９】
図１〜４に示す本形態の使い捨ておむつ１は、液透過性の表面シート２、液不透過性の裏面シート３、及びこれら両シート間に介在する液保持性の吸収体４を有し、使用時に着用者の腰回りに位置するウエスト部５が形成されている。
【００１０】
図１及び図２に示す形態の使い捨ておむつ１について詳細に説明すると、上記使い捨ておむつ１は、使用時に着用者の腹側に位置する腹側部Ａ及び背中側に位置する背側部Ｂが形成されており、該腹側部Ａの左右両側縁と該背側部Ｂの左右両側縁とを接合固定して、ウエスト開口部５０とレッグ開口部６０とを形成している、パンツ型の使い捨ておむつである。
また、上記吸収体４はその股下領域が縊れた砂時計状に湾曲形成されている（図４参照）。また、上記表面シート２及び上記裏面シート３も上記吸収体４の形状に即してその股下領域が上述の如く湾曲形成されている。そして、上記吸収体４は、上記表面シート２及び上記裏面シート３により挟持・固定されている。
また、上記吸収体４の周縁部には、おむつを着用した際に、着用者にレッグ部６をフィットさせるためのレッグ部弾性伸縮部材７が、それぞれ上記表面シート２と上記裏面シート３とにより挟持・固定されて設けられており、これにより、レッグ部６にレッグギャザーが形成されている。
このような構成は、従来のパンツ型の使い捨ておむつと同様である。
【００１１】
また、本形態の使い捨ておむつ１においは、不織布等で構成されるシート材を表面シート２と吸収体４との間や裏面シート３と吸収体４との間に介在させることもできる。また、レッグ部弾性伸縮部材７は、該シート材と裏面シート３との間に存在させることもできる。
【００１２】
次に、上記使い捨ておむつ１を構成する各部材の形成材料について説明する。上記表面シート２としては、排泄物を吸収体へ透過させる液透過性シートで肌着に近い感触を有したものが好ましく、このような液透過性シートとしては、例えば、織布、不織布、多孔性フィルム等が好ましく挙げられる。また、表面シート２の周縁にシリコン系油剤、パラフィンワックス等の疎水性化合物を塗布する方法や、予めアルキルリン酸エステルのような親水性化合物を全体に塗布し、周縁を温水で洗浄する方法により、撥水処理を施し、周縁における尿等の滲みによる漏れを防止することができる。
【００１３】
上記裏面シート３としては、熱可塑性樹脂にフィラーを加えて延伸した液不透過性かつ蒸気透過性のフィルムシート、または繊維集合体と該フィルムシートとのラミネート等が用いられる。
【００１４】
上記吸収体４としては、解繊パルプを主材とし、高分子吸水ポリマーを併用したものが好ましい。該高分子吸水ポリマーは、上記吸収体４の上層、中層、下層の何れの位置に存在させてもよく、また、パルプと混合したものであってもよい。また、該高分子吸水ポリマーは自重の２０倍以上の液体を吸収して保持し得る保持性能を有し、ゲル化する性質を有する粒子状のものが好ましい。このような高分子吸水ポリマーとしては、例えば、デンプン−アクリル酸（塩）グラフト共重合体、デンプン−アクリロニトリル共重合体のケン化物、ナトリウムカルボキシメチルセルロースの架橋物、アクリル酸（塩）重合体などが好ましく挙げられる。
【００１５】
上記レッグ部弾性伸縮部材７としては、それぞれ、糸ゴム、平ゴム、フィルムタイプのゴム、たとえばウレタン系、エステル系、オレフィン系の弾性フィルム、糸ゴム、平ゴム、発泡体等が好ましく挙げられ、特に５０％伸長時の応力が２０〜６０グラムのものが好ましい。
【００１６】
而して、図１〜３に示すように、本形態の使い捨ておむつ１においては、上記ウエスト部５は、上記表面シート２、上記裏面シート３、及び上記吸収体４により形成されたおむつ本体１０の端縁１１から延設されたウエスト部形成材５１と、延出された該ウエスト部形成材５１により保持されている、６〜６０本の弾性部材５２（本形態においては１０本）とにより形成されている。
また、上記弾性部材５２は、その目付が０．０２２〜０．４００ｇ／ｍ、好ましくは０．０４５〜０．０９５ｇ／ｍであり、その伸張率が１５０〜３００％、好ましくは１８０〜２６０％であり、上記ウエスト部形成材５１は、その剛度（おむつ長さ方向における剛度）が１０〜８０ｍｍ、好ましくは４５〜７０ｍｍであり、上記ウエスト部５は、その幅Ｗが１５〜６０ｍｍ、好ましくは２０〜４０ｍｍである。
尚、本形態においては、上記目付が０．０６２ｇ／ｍ、上記伸張率が２４０％、上記剛度が５０ｍｍ、幅が３０ｍｍである。
【００１７】
上記弾性部材５２の数が６本未満であると、フィット性を損ないモレを生じやすくなり、フィット性を改善するために、各弾性部材５２の伸張率を上げると着用者の肌を傷つけてしまう。また、６０本を超えると、見た目の印象が悪く、生産性も悪くなり、コストも高くなる。
また、上記目付が０．０２２ｇ／ｍ未満であると、フィット性が悪くなり漏れを生じやすくなり、フィット性を改善すべく伸張率を上げると着用者の肌を傷つける。また、０．４００ｇ／ｍを超えると、ウエスト部に形成されるウエストギャザー全体の柔らかさが損なわれる。
また、上記伸張率が１５０％未満であると、おむつのフィット性が低下してズレ落ちやすくなり、３００％を超えると、着用者の肌を傷つける。
また、上記剛度が１０ｍｍ未満であると、ウエスト部が柔らかすぎるなどしてしっかり感がなくなり、８０ｍｍを超えると、ウエストギャザー全体の柔らかさが損なわれる。
また、上記ウエスト部５の幅Ｗが１５ｍｍ未満であると、おむつのフィット性が低下してズレ落ちやすくなると同時に、見た目に不安感を与え、６０ｍｍを超えると、逆に見た目に不格好であり、また威圧感を与える。
【００１８】
ここで、上記伸張率は、上記弾性部材５２のおむつに配されている状態での長さを、初期の長さ（外力をかけない状態での長さ）を１００％として％表示したものである。
また、上記剛度は、ＪＩＳ（Ｐ８１４３）により測定されるものである。
【００１９】
更に詳述すると、図２及び３に示すように、上記ウエスト部形成材５１は、上記裏面シート３側において該裏面シート３（裏面シート３全面）を覆って設けられ、且つ上記表面シート２側に向けて折り返されており、上記弾性部材５２は、折り畳まれた該ウエスト部形成材５１により挟持されて保持されている。また、上記弾性部材５２は、上記ウエスト部形成材５１の全面（ウエスト部を形成する部分の全面）に塗布された粘着剤により、該ウエスト部形成材５１に挟持・固定されて、保持されている。そして、折り返された上記ウエスト部形成材５１の端縁５１ａは、上記表面シート２の上端部に位置している。また、上記弾性部材５２は、それぞれ等間隔で配されており、各上記弾性部材５２の間隔は、２．０〜４．０ｍｍとする。
【００２０】
上記粘着剤の坪量は、スリットスプレー等の方法により、上記全面にベタ塗りする場合には、１．０〜２．５ｇ／ｍ２  とするのが好ましく、１．８〜２．２ｇ／ｍ２  とするのが更に好ましい。また、スパイラルやビード等の部分的塗布形状を採り、上記一部に塗布する場合には、３．０〜８．０ｇ／ｍ２  とするのが好ましく、３．５〜７．０とするのが更に好ましい。
尚、本形態においては、スリットスプレー法により全面ベタ塗りしており、その坪量は２．０ｇ／ｍ２  である。
【００２１】
上記の粘着剤の坪量が、全面にベタ塗りする場合で１．０ｇ／ｍ２  未満であるか、又は一部に塗布する場合で３．０ｇ／ｍ２  未満であると、弾性部材を十分に接着させることができず、該弾性部材の伸張率を適正にコントロールできなくなり、また、全面にベタ塗りする場合で２．５ｇ／ｍ２  を超えるか、又は一部に塗布する場合で８．０ｇ／ｍ２  を超えると、ウエスト部の柔らかさを損なう場合があるので、好ましくない。
【００２２】
また、本発明において用いられる上記ウエスト部形成材５１としては、上記剛度を満足するものであれば特に制限されないが、具体的には例えば、下記する不織布及びフィルム等が挙げられる。
不織布；ポリプロピレン、ポリエチレン、ポリエチレンテレフタレート等の熱可塑性繊維、レーヨン、コットン等の繊維素材（これらが２種以上組み合わさったものでもよい）からなるもの。
また、上記不織布の製法としては、サクションヒートボンド、スパンレース、ヒートロール、メルトブローン、スパンボンド法等が挙げられ、２種以上の製法を組み合わせてもよい。そして、上記不織布としては、これらの製法のうち２種以上の製法で構成した２種以上の不織布を組み合わせて用いても良い。
フィルム；ポリエチレン、ポリプロピレン等のオレフィン系樹脂、ウレタン系樹脂、エステル系樹脂からなるものが挙げられ、透湿性のもの、非透湿性のもの、伸縮性のもの、非伸縮性のものをいずれも用いることができる。
【００２３】
また、本発明において用いられる上記弾性部材５２としては、上記目付を満足するものであれば特に制限されずに用いることができるが、具体的には例えば、下記する弾性部材などが用いられる。
糸ゴム、平ゴム、フィルムタイプのゴム、たとえばウレタン系、エステル系、オレフィン系の弾性フィルム、糸ゴム、平ゴム、発泡体等からなる弾性部材。
また、上記弾性部材５２の弾性率は、５０％伸長時の応力が５〜１００グラムとするのが好ましい。ここで、この伸長時の応力は、ＪＩＳ  Ｋ−６３２７によって測定されるものである。
【００２４】
本形態の使い捨ておむつ１を製造するには、図４に示すように、先ず、通常のパンツ型の使い捨ておむつと同様に、上記表面シート２、上記裏面シート３及び上記吸収体４を積層させておむつ本体１０を作成する。次いで、該おむつ本体１０の端縁１１方向に大きく形成されたウエスト部形成材５１を、上記裏面シート３に当接させ、該おむつ本体１０の両端縁１１から該ウエスト部形成材５１の端縁５１ａを所定の幅で延出させる。そして、この延出させた部位に上記弾性部材５２を配して折り曲げ部５３で矢印方向に折り返してウエスト部５を形成する。最終に、腹側部Ａの左右両側縁Ａ１，Ａ２と背側部Ｂの左右両側縁Ｂ１，Ｂ２とを接合してパンツ型とすることにより容易に製造できる。
【００２５】
本形態の使い捨ておむつ１は、上述のような構成を有しているので、風合いに優れ、着用者の肌を傷つけることがない。また、フィット性が高く、各弾性部材により形成された複数の細かいギャザーにより、ウエスト部から尿等の排泄物の漏れが、効果的に防止される。
【００２６】
尚、本発明の使い捨ておむつは、上述の形態に制限されるものではなく、本発明の趣旨を逸脱しない範囲で種々変更可能である。例えば、ウエスト部５の下方（股下部より）に、おむつの周方向に向けて細帯状の疎水性不織布を配してなり、該疎水性不織布の下方の自由端に弾性部材を配して形成された、通常のウエスト部立体ガードを設けることもできる。該ウエスト部立体ガードを設けることによりさらに漏れ防止性を向上させることができる。
【００２７】
【発明の効果】
本発明の使い捨ておむつは、着用者の肌を傷つけることなく、ウエスト部、特に腹側のウエスト部からの漏れが防止されたものである。
【図面の簡単な説明】
【図１】図１は、本発明の使い捨ておむつの好ましい一形態を示す斜視図である。
【図２】図２は、図１に示す形態の使い捨ておむつのＩＩ部拡大図である。
【図３】図３は、図２のＩＩＩ−ＩＩＩ  断面図である。
【図４】図４は、図１に示す形態の使い捨ておむつを組み立てる態様を示す斜視図である。
【符号の説明】
１      使い捨ておむつ
２      表面シート
３      裏面シート
４      吸収体
５      ウエスト部
６      レッグ部
７      レッグ部弾性伸縮部材
１０      おむつ本体
１１      端縁
５０      ウエスト開口部
５１      ウエスト部形成材
５２      弾性部材
６０      レッグ開口部
Ａ      腹側部
Ｂ      背側部
【図１】
0003611681.tif 000002
【図２】
0003611681.tif 000003
【図３】
0003611681.tif 000004
【図４】
0003611681.tif 000005